【手続補正書】
【提出日】平成28年5月31日(2016.5.31)
【手続補正１】
【補正対象書類名】明細書
【補正対象項目名】０００８
【補正方法】変更
【補正の内容】
【０００８】
上述の問題点を解決するため、本発明に係る画像処理装置は以下の構成を備える。すなわち、画像処理装置は、画像データの注目画素を含む所定サイズの領域に含まれる複数の画素の信号値のばらつき度合いを取得する第１の取得手段と、前記領域の明るさを示す特徴量を取得する第２の取得手段と、互いに異なる複数のばらつき度合いそれぞれに対応する複数の指標値に関して前記第１の取得手段により取得されたばらつき度合いに対応する指標値と、前記第２の取得手段により取得された特徴量と、を用いて、前記注目画素の補正量を決定する決定手段と、前記決定手段により決定された補正量を用いて前記注目画素の値を補正する補正手段と、を有する。
【手続補正２】
【補正対象書類名】特許請求の範囲
【補正対象項目名】全文
【補正方法】変更
【補正の内容】
【特許請求の範囲】
【請求項１】
画像データの注目画素を含む所定サイズの領域に含まれる複数の画素の信号値のばらつき度合いを取得する第１の取得手段と、
前記領域の明るさを示す特徴量を取得する第２の取得手段と、
互いに異なる複数のばらつき度合いそれぞれに対応する複数の指標値に関して前記第１の取得手段により取得されたばらつき度合いに対応する指標値と、前記第２の取得手段により取得された特徴量と、を用いて、前記注目画素の補正量を決定する決定手段と、
前記決定手段により決定された補正量を用いて前記注目画素の値を補正する補正手段と、
を有することを特徴とする画像処理装置。
【請求項２】
前記特徴量は、前記領域に含まれ各々が画素の明るさを示す複数の信号値の平均値である
ことを特徴とする請求項１に記載の画像処理装置。
【請求項３】
前記画像データの複数の領域に対する前記第１の取得手段により取得されたばらつき度合い及び前記第２の取得手段により取得された平均値それぞれに基づいて、前記互いに異なる複数のばらつき度合いそれぞれに対する指標値を指定する基準テーブルを生成する生成手段を更に有し、
前記生成手段は、前記第２の取得手段により同一のばらつき度合いに対して複数の異なる平均値が取得された場合、該複数の異なる平均値のうち最大の平均値を前記同一のばらつき度合いに対する基準平均値として前記基準テーブルに設定する
ことを特徴とする請求項２に記載の画像処理装置。
【請求項４】
前記領域に画像エッジが含まれるか否かを判定する判定手段を更に有し、
前記生成手段は、前記判定手段により前記領域に画像エッジが含まれる判定された場合、該領域に対して前記第１の取得手段により取得されたばらつき度合い及び前記第２の取得手段により取得された平均値を前記基準テーブルの生成に使用しない
ことを特徴とする請求項３に記載の画像処理装置。
【請求項５】
前記ばらつき度合いは、前記領域に含まれる複数の画素の信号値の分散値又は標準偏差値である
ことを特徴とする請求項１乃至４の何れか一項に記載の画像処理装置。
【請求項６】
前記基準テーブルは、それぞれが異なる画像濃度に対応する複数のばらつき度合いと、それぞれのばらつき度合いに対応する基準平均値と、を関連付けるルックアップテーブル（ＬＵＴ）である
ことを特徴とする請求項３又は４に記載の画像処理装置。
【請求項７】
前記画像データは、中間調処理された画像が印刷された原稿を読み取って得られるデータである
ことを特徴とする請求項１乃至６の何れか一項に記載の画像処理装置。
【請求項８】
前記原稿を読み取る解像度は、前記原稿における中間調処理された画像の解像度よりも高い
ことを特徴とする請求項７に記載の画像処理装置。
【請求項９】
原稿を読み取る読取手段と、
前記補正手段による前記補正の実行可否を指定する指定手段と、
を更に有し、
前記読取手段は、前記指定手段により前記補正手段による前記補正の実行禁止が指定された場合の読取解像度を、前記指定手段により前記補正手段による前記補正の実行が指定された場合の読取解像度よりも低くして、前記原稿を読み取る
ことを特徴とする請求項１乃至８の何れか一項に記載の画像処理装置。
【請求項１０】
前記指定手段は、前記読取手段が原稿フィーダを用いた流し読みを行う場合に前記補正手段による前記補正の実行禁止を指定する
ことを特徴とする請求項８に記載の画像処理装置。
【請求項１１】
前記基準テーブルは、色成分毎に記憶され
前記第１の取得手段は、前記領域に含まれる複数の画素の信号値のばらつき度合いを色成分毎に取得し、
前記第２の取得手段は、前記領域に含まれる複数の画素の信号値の平均値を色成分毎に取得する
ことを特徴とする請求項３又は４に記載の画像処理装置。
【請求項１２】
前記補正手段は、前記領域のばらつき度合いが示す画像濃度が所定の画像濃度より低い場合に、該領域に対して前記補正を実行する
ことを特徴とする請求項１乃至１１の何れか一項に記載の画像処理装置。
【請求項１３】
前記補正手段は、前記第２の取得手段により取得された特徴量と前記第１の取得手段により取得されたばらつき度合いに対応する指標値との差分に応じたゲインを前記補正量に乗じて前記補正を実行する
ことを特徴とする請求項１乃至１２の何れか一項に記載の画像処理装置。
【請求項１４】
前記補正手段は、前記領域が示す画像濃度に応じたゲインを前記補正量に乗じて前記補正を実行する
ことを特徴とする請求項１乃至１２の何れか一項に記載の画像処理装置。
【請求項１５】
前記決定手段は、前記特徴量と前記指標値との差分値を用いて、前記補正量を決定する
ことを特徴とする請求項１乃至１２の何れか一項に記載の画像処理装置。
【請求項１６】
前記第２の取得手段によって取得された特徴量が所定の明るさよりも大きい場合、前記補正手段により前記注目画素の値に対して補正を行う
ことを特徴とする請求項１乃至１５の何れか一項に記載の画像処理装置。
【請求項１７】
前記決定手段は、前記差分値を前記補正量として決定する
ことを特徴とする請求項１５に記載の画像処理装置。
【請求項１８】
画像データの注目画素を含む所定サイズの領域に含まれる複数の画素の濃度または輝度の分散値を取得する第１の取得手段と、
前記領域の輝度の平均値を取得する第２の取得手段と、
互いに異なる複数の分散値それぞれに対応する複数の輝度の平均値に関して前記第１の取得手段により取得された分散値に対応する輝度の平均値と、前記第２の取得手段により取得された輝度の平均値と、を用いて、前記注目画素の補正量を決定する決定手段と、
前記決定手段により決定された補正量を用いて、前記注目画素の値を補正する補正手段と、
を有することを特徴とする画像処理装置。
【請求項１９】
前記決定手段は、前記第１の取得手段により取得された分散値に対応する輝度の平均値と前記第２の取得手段により取得された輝度の平均値との差分値を、前記注目画素の値の補正量として決定する
ことを特徴とする請求項１８に記載の画像処理装置。
【請求項２０】
画像処理装置における画像処理方法であって、
画像データの注目画素を含む所定サイズの領域に含まれる複数の画素の信号値のばらつき度合いを取得する第１の取得工程と、
前記領域の明るさを示す特徴量を取得する第２の取得工程と、
互いに異なる複数のばらつき度合いそれぞれに対応する複数の指標値に関して前記第１の取得工程により取得されたばらつき度合いに対応する指標値と、前記第２の取得工程により取得された特徴量と、を用いて、前記注目画素の補正量を決定する決定工程と、
前記決定工程により決定された補正量を用いて前記注目画素の値を補正する補正工程と、
を含むことを特徴とする画像処理方法。
【請求項２１】
画像処理装置における画像処理方法であって、
画像データの注目画素を含む所定サイズの領域に含まれる複数の画素の濃度または輝度の分散値を取得する第１の取得工程と、
前記領域の輝度の平均値を取得する第２の取得工程と、
互いに異なる複数の分散値それぞれに対応する複数の輝度の平均値に関して前記第１の取得工程により取得された分散値に対応する輝度の平均値と、前記第２の取得工程により取得された輝度の平均値と、を用いて、前記注目画素の補正量を決定する決定工程と、
前記決定工程により決定された補正量を用いて、前記注目画素の値を補正する補正工程と、
を含むことを特徴とする画像処理方法。
【請求項２２】
コンピュータを、請求項１乃至１９の何れか一項に記載の画像処理装置の各手段として機能させるためのプログラム。